(57)【特許請求の範囲】
【請求項１】
座標で位置決めされたカスタムパーツ画像を有する画像カスタムファイルを受信する受信手段と、
前記画像カスタムファイルから切り出された前記カスタムパーツ画像を保存するカスタムパーツ記憶手段と、
種々の表示画像と前記カスタムパーツ画像との対応を記憶するパーツ対応記憶手段と、
前記画像カスタムファイルの拡張子が規定どおりであるかをチェックし、前記画像カスタムファイルの拡張子が規定どおりである場合、前記位置決めされた座標に基づいて前記画像カスタムファイルから前記カスタムパーツ画像を切り出して前記カスタムパーツ記憶手段に記憶させ、前記画像カスタムファイルのデジタル著作権を表すデータ欄に独自のデジタル権利データ名を付加する第１の制御手段と、
前記種々の表示画像を表示させる場合に前記パーツ対応記憶手段に記憶された、前記種々の表示画像と前記カスタムパーツ画像との対応に基づいて、対応する前記カスタムパーツ画像を表示させる第２の制御手段とを
具備することを特徴とする携帯端末。
【請求項２】
カスタムパーツ画像と、種々の表示画像と前記カスタムパーツ画像との対応とを記憶する記憶装置を備える携帯端末を制御する表示制御方法であって、
座標で位置決めされたカスタムパーツ画像を有する画像カスタムファイルを受信し、
前記受信した画像カスタムファイルの拡張子が規定どおりであるかをチェックし、前記受信した画像カスタムファイルの拡張子が規定どおりである場合、前記位置決めされた座標に基づいて前記画像カスタムファイルから前記カスタムパーツ画像を切り出して前記記憶装置に記憶させ、前記画像カスタムファイルのデジタル著作権を表すデータ欄に独自のデジタル権利データ名を付加し、
前記携帯端末に種々の表示画像を表示させる場合に、前記記憶装置に記憶された、前記種々の表示画像と前記カスタムパーツ画像との対応に基づいて、対応する前記カスタムパーツ画像を表示させることを特徴とする表示制御方法。
【発明の詳細な説明】
【技術分野】
【０００１】
本発明は、ユーザ自身によるオリジナルの携帯端末画面を簡単に作成することができる携帯端末及び該携帯端末に適用される表示制御方法に関する。
【背景技術】
【０００２】
（背景技術１）
携帯電話機のＵＩ（ユーザインターフェース）画面を作成する専用ツールが市場で使われている。習熟した開発者がこの専用ツールにより、特殊なデータを使用して、ＵＩ画面を設計している。そして、予め決まったＵＩ画面が携帯電話機に設定されている。
【０００３】
（背景技術２）
また、着信待ち受け画面等を携帯電話機のユーザが簡易にカスタマイズできる携帯電話機がある（例えば、特許文献１参照。）。この特許文献１では、ユーザは、携帯電話機をインターネットに接続し、複数種類のサイト画面データの中から表示すべきデータを選択入手し、着信待ち受け画面等としてカスタマイズできる。
【特許文献１】再公表特許ＷＯ００／７０７９４号公報（第１０頁、第１５頁、図１、図１０）
【発明の開示】
【発明が解決しようとする課題】
【０００４】
背景技術１の専用ツールの機能を汎用のパーソナルコンピュータに適用したとしても、特殊なデータ処理に習熟してない一般の携帯電話機のユーザは、携帯電話機のＵＩ画面を簡単に作成することはできない。  
また、背景技術２においては、携帯電話機のユーザは、予め用意されている複数種類のサイト画面データの中から選択することしかできず、ユーザ自身のオリジナルのＵＩ画面を作成することはできなかった。本発明は、上記の問題点を解決するためになされたもので、ユーザ自身がオリジナルの携帯端末画面を簡単に作成することができる携帯端末を提供することを目的とする。
【課題を解決するための手段】
【０００５】
上記目的を達成するために、本発明の携帯端末は、座標で位置決めされたカスタムパーツ画像を有する画像カスタムファイルを受信する受信手段と、前記画像カスタムファイルから切り出された前記カスタムパーツ画像を保存するカスタムパーツ記憶手段と、種々の表示画像と前記カスタムパーツ画像との対応を記憶するパーツ対応記憶手段と、前記画像カスタムファイルの拡張子が規定どおりであるかをチェックし、前記画像カスタムファイルの拡張子が規定どおりである場合、前記位置決めされた座標に基づいて前記画像カスタムファイルから前記カスタムパーツ画像を切り出して前記カスタムパーツ記憶手段に記憶させ、前記画像カスタムファイルのデジタル著作権を表すデータ欄に独自のデジタル権利データ名を付加する第１の制御手段と、前記種々の表示画像を表示させる場合に前記パーツ対応記憶手段に記憶された、前記種々の表示画像と前記カスタムパーツ画像との対応に基づいて、対応する前記カスタムパーツ画像を表示させる第２の制御手段を具備することを特徴とする。
【発明の効果】
【０００６】
本発明によれば、ユーザ自身がパーソナルコンピュータでフォトショップ（Ｒ）などの汎用画像作成ソフトを使用してオリジナルの携帯端末画面を簡単に作成し、それを携帯端末に送信することによりにオリジナルの携帯端末画面の携帯端末を得ることが可能となる。
【発明を実施するための最良の形態】
【０００７】
以下、本発明の実施例を、図面を参照して説明する。
【実施例】
【０００８】
図１は、本発明の実施例に係る携帯端末画面のカスタマイズシステムを説明する図である。カスタマイズシステムは、携帯端末１００、ＰＣ（パーソナルコンピュータ）２００などによって構成される。ＰＣ２００は、携帯端末１００のユーザが使用するユーザＰＣである。ＰＣ２００は、汎用画像処理ソフトのフォトショップ（Ｒ）２０１を有する。
【０００９】
Ｗｅｂ２０２のサイトまたはＣＤＲＯＭ２０３には、携帯端末１００のメーカによって、携帯端末１００の画面のカスタマイズ用のテンプレートファイル（３種類）、２５６色パレットデータファイル、説明書が用意されている。２５６色パレットデータファイルは、携帯端末１００が元来処理可能な色の内で画面カスタマイズ用に予め定義している２５６色分のパレットデータである。ユーザは、Ｗｅｂ２０２またはＣＤＲＯＭ２０３からテンプレートファイル、２５６色パレットデータファイル、説明書をＰＣ２００へコピーする。
【００１０】
テンプレートファイルは、アイコンテンプレートファイル、ウィンドウズ（Ｒ）テンプレートファイル、タブリストテンプレートファイルの３種類である。これらのテンプレートファイルは、携帯端末１００の画面表示の色々な表示状態に対応するパーツ集のファイルである。テンプレートファイルについては、後で詳しく説明する（図２、図３、図４）。
【００１１】
ユーザは、説明書を読んで、テンプレートファイルの各パーツが携帯端末１００のどの部分の表示に対応するかを理解する。そして、ユーザは、ＰＣ２００でフォトショップ（Ｒ）２０１により、テンプレートファイルの各パーツを編集してオリジナルのカスタムファイルを作成する。そして、ユーザは、カスタムファイルのファイル名として独自の拡張子名を付けて保存する。カスタムファイルは符号化されて情報量を圧縮して保存される。
【００１２】
ユーザは、作成したカスタムファイルをＰＣ２００から携帯端末１００へ送信する。送信する方法は、メール通信の添付ファイルとして送信する。または、ＵＳＢ、ＩＲＤＡ（赤外線通信）、ＢＴ（ブルートゥース通信）などの近距離通信で送信する。または、ＳＤなどの媒体メモリで送信するなどがある。
【００１３】
携帯端末１００は、受信したカスタムファイルを復号して画像データ形式に戻す。そして、復号したカスタムファイルから各パーツ画像を抜き出してカスタムパーツメモリに保存する。この時、カスタムの各パーツ画像が携帯端末１００の色々な表示状態のどの部分に対応するかが対応付けられて保存される。また、携帯端末１００には、カスタムファイルとは別に、デフォルトの画面表示用の各パーツ画像が保存されている。このデフォルトの各パーツ画像も、従来どおり、携帯端末１００の色々な表示状態との対応が記憶されている。
【００１４】
ユーザは、携帯端末１００を操作して、カスタムファイルまたはデフォルトの画像のいずれを使用するかを初期設定で選択する。携帯端末１００は、初期設定後は、選択された方から、色々な表示状態に対応したパーツ画像を自動で選んで表示する。
【００１５】
図２は、本発明の実施例に係るアイコンテンプレートファイルを説明する図である。携帯端末１００の色々な表示画像の中の主にアイコンに関するパーツ画像を集めたテンプレートファイルである。符号ａ、ｂ、ｃ、ｄ、ｅの部分の四角い実線枠で囲まれた１つ１つがパーツ画像である。符号ｆは２５６色パレット表示である。ユーザは、ＰＣ２００でフォトショップ（Ｒ）２０１により、アイコンテンプレートファイルを開き、フォトショップ（Ｒ）２０１の通常の処理により、２５６色パレットを使用して各パーツを編集してオリジナルのパーツ画像を作成する。
【００１６】
符号ａは、主に数字等の赤文字表示に関する部分であり、更に符号ａ１は大文字、符号ａ２は中文字、符号ａ３は小文字が備えられている。符号ｂは、主に数字等の黒文字表示に関する部分であり、更に符号ｂ１は大文字、符号ｂ２は中文字、符号ｂ３は小文字が備えられている。携帯端末１００では、例えば、複数の選択項目に黒文字が割り振られ、カーソルで選択された数字が赤文字表示される場合などに、自動で符号ａと符号ｂの表示が選択されて表示される。また、携帯端末１００では、例えば、ユーザ操作による表示文字の大きさ選択が可能であり、それに対応して自動で符号ａ１、ａ２、ａ３の表示が選択されて表示される。
【００１７】
ユーザは、例えば数字のパーツ画像について、漢数字やギリシャ数字に書き換えてもよい。ただし、数字の意味が変わってはいけない。  
符号ｃ１、ｃ２、ｃ３についても数字と同様に、携帯端末１００での用途が対応付けられており、表示の大きさが大中小と切り換えられる。
【００１８】
符号ｄは、電波状態表示用であり、圏外状態から、電波の弱い順に６個のパーツ画像が備えられている。ユーザは、ＰＣ２００により、これらの画像を任意に書き換えることができる。そして、携帯端末１００では、電波状態に対応して、カスタマイズされた６個の１つが選択されて表示されることになる。
【００１９】
符号ｅは、電池状態表示用であり、電池残量表示の５個と、充電中表示の１個のパーツ画像が備えられている。ユーザは、ＰＣ２００により、これらの画像を任意に書き換えることができる。そして、携帯端末１００では、電池状態に対応して、カスタマイズされた６個の１つが選択されて表示されることになる。  
以上の内容は、説明書に詳しく書かれており、ユーザは、説明書を読むことで携帯端末１００の色々な表示とパーツ画像との対応が分かるようになっている。また、携帯端末１００の内部のパーツ対応リストに、これらの対応が記憶されており、携帯端末１００は、色々な表示を行う場合に、パーツ対応メモリを参照して色々な表示に対応するパーツ画像を自動で表示する。
【００２０】
次に、アイコンテンプレートの座標について説明する。アイコンテンプレートの座標は、ユーザは見ることはできないし、意識する必要はない。携帯端末１００での各パーツ画像の自動の抜き出しで用いられる。アイコンテンプレートの左上端を座標基点（ｘ、ｙ＝０、０）として、各パーツの位置が定義される。例えば、符号ａ１の数字２の位置は、パーツ座標始点（１６、２）とパーツ座標終点（２１、１５）で定義されている。
【００２１】
ＰＣ２００によりカスタマイズされたアイコンのカスタムファイルが携帯端末１００へ送信されると、携帯端末１００は、座標に基づいて各パーツをカスタムファイルから抜き出し、カスタムパーツメモリに保存する。
【００２２】
図３は、本発明の実施例に係るウィンドウテンプレートファイルを説明する図である。携帯端末１００の色々な表示画像の中の主にウィンドウに関するパーツ画像を集めたテンプレートファイルである。アイコンテンプレート（図２）との相違点は、パーツ画像の種類がウィンドウに関するものが主であるというだけであり、ユーザの使い勝手を考慮して同種類のテンプレートを集めたものである。同様に、各パーツ画像と携帯端末１００での用途が対応付けられている。
【００２３】
符号ｇ１、ｇ２の部分はウィンドウではないが、携帯端末１００でユーザが何らかの処理操作を行った結果表示として使用される。この部分は、携帯端末１００において、ユーザが大小表示の切り換えを行うことができ、それに対応している。各パーツ画像の説明は省略する。
【００２４】
また、各パーツ画像の位置は、同様に座標で定義されており、ＰＣ２００によりカスタマイズされたウィンドウのカスタムファイルが携帯端末１００へ送信されると、携帯端末１００は、座標で定義されている各パーツをカスタムファイルから抜き出し、カスタムパーツメモリに保存する。
【００２５】
図４は、本発明の実施例に係るタブテンプレートファイルを説明する図である。携帯端末１００の色々な表示画像の中の主にタブ表示に関するパーツ画像を集めたテンプレートファイルである。アイコンテンプレート（図２）との相違点は、パーツ画像の種類がタブに関するものが主であるというだけであり、ユーザの使い勝手を考慮して同種類のテンプレートを集めたものである。同様に、各パーツ画像と携帯端末１００での用途が対応付けられている。
【００２６】
タブ表示は、タブの選択部分として、符号ｊ１からｔ１に示したように、９種類の内容が重ねて表示されたものである。ユーザは、携帯端末１００において、符号ｊ１からｔ１のいずれかをカーソルで選択すると、選択された内容の詳細が最前面に表示されるものである。例えば、符号ｊ１（メール）の部分がカーソルで選択されると、符号ｊ２部で示したように、メールに関する詳細部分が最前面に表示される。符号ｊ２部には、テキスト文字と背景画像、例えば熊の画像の「くーまん（Ｒ）」が表示される。
【００２７】
ユーザは、ＰＣ２００で、各タブの最前面表示の符号ｊ２、ｋ２、ｍ２、ｎ２、ｐ２、ｑ２、ｒ２、ｓ２、ｔ２部分の背景画像をオリジナルに作成することができる。また、タブの選択部分の符号ｊ１からｔ１部分にも画像が表示されるようになっており、その画像を、符号ｈ１（赤）、ｈ２（黒）部分にパーツ画像として作成することができる。携帯端末１００においては、選択されたタブについては、符号ｈ１（赤）部分が選択されて表示される。
【００２８】
また、各パーツ画像の位置は、同様に座標で定義されており、ＰＣ２００でオリジナル作成されたウィンドウのカスタムファイルが携帯端末１００へ送信されると、携帯端末１００は、座標で定義されている各パーツをカスタムファイルから抜き出し、カスタムパーツメモリに保存する。
【００２９】
図５は、本発明の実施例に係るＰＣでのユーザ処理のフローチャートである。ユーザは、Ｗｅｂ２０２やＣＤＲＯＭ２０３から携帯端末１００用の純正のテンプレートファイル（３種類）、２５６色パレットデータファイル、説明書をフォルダにコピーする。テンプレートファイルは、アイコンテンプレートファイル、ウィンドウズ（Ｒ）テンプレートファイル、タブリストテンプレートファイルの３種類である（ステップＳ１）。
【００３０】
ユーザは、画像処理ソフト「フォトショップ（Ｒ）」で、前記テンプレート、例えばアイコンテンプレートファイルを開く（ステップＳ２）。ユーザは、アイコンテンプレートの構成パーツの内、オリジナルで作成したいパーツ部分を、前記２５６色パレットで画像を作成編集する（ステップＳ３）。ユーザは、編集後のファイルを、提供されている２５６色パレットデータを指定して保存する。また、携帯端末への送信用のアイコンカスタムファイルとして、拡張子「．ｔｓｂｉ（ｋ）」と付けて保存する（ステップＳ４）。
【００３１】
ユーザは、同様に、ウィンドウ テンプレートファイルとタブリストテンプレートファイルについても編集し、２５６色パレットデータを指定して保存する。また、携帯端末への送信用のカスタムファイルとして、拡張子をウィンドウカスタムファイルには「．ｔｓｂｗ（ｋ）」と付け、タブリストカスタムファイルには、「．ｔｓｂｔ（ｋ）」と付けて保存する（ステップＳ５）。
【００３２】
そして、ユーザは、編集後のカスタムファイル３種類を携帯端末へ送信する。種類は、アイコンカスタムファイル「xxx．ｔｓｂｉ（ｋ）」、ウィンドウカスタムファイル「xxx．ｔｓｂｗ（ｋ）」、タブリストファイル「xxx．ｔｓｂｔ（ｋ）」である（ステップＳ６）。
【００３３】
図６は、本発明の実施例に係る携帯端末の関連部分のブロック図である。携帯端末１００は、アンテナ１、通信制御部２、ＰＣインターフェース３、ＳＤインターフェース４、画像カスタムファイル記憶部５、２５６色リスト記憶部６、アイコンカスタムパーツ記憶部７、ウィンドウカスタムパーツ記憶部８、タブカスタムパーツ記憶部９、操作部１０、表示部１１、パーツ対応リスト記憶部１２、主制御部１３などによって構成される。
【００３４】
アンテナ１および通信制御部２は、図示しない基地局との間で無線通信を行い、公衆網を通じてメール通信の添付ファイルとして、ＰＣ２００で作成されたカスタムファイルを受信する。ＰＣインターフェース３は、ＵＳＢ、ＩＲＤＡ（赤外線通信）、又はＢＴ（ブルートゥース通信）などの近距離通信を行い、ＰＣ２００で作成されたカスタムファイルを受信する。ＳＤインターフェース４は、ＳＤなどの媒体メモリのインターフェースであり、ＳＤを介してＰＣ２００で作成されたカスタムファイルを受信する。
【００３５】
画像カスタムファイル記憶部５は、ＰＣ２００から送信された上記カスタムファイルを保存する。２５６色リスト記憶部６は、携帯端末１００が元来処理可能な色の内で画面カスタマイズ用に予め定義している２５６色のリストを記憶するメモリである。  
アイコンカスタムパーツ記憶部７は、アイコン用のカスタムファイルから抜き出された各パーツを記録するメモリである。ウィンドウカスタムパーツ記憶部８は、ウィンドウ用のカスタムファイルから抜き出された各パーツを記録するメモリである。タブカスタムパーツ記憶部９は、タブ用のカスタムファイルから抜き出された各パーツを記録するメモリである。
【００３６】
操作部１０は、キー等の操作入力手段である。表示部１１は、ＬＣＤ等により構成される表示手段である。パーツ対応リスト記憶部１２は、携帯端末１００の色々な表示状態とパーツ画像との対応を記憶するメモリである。
【００３７】
主制御部１３は、携帯端末１００の全体の制御を行う。特に、本発明に関して、ＰＣ２００から送信された各カスタムファイルを復号して画像データ形式に戻す。そして、復号処理された各カスタムファイルから座標に基づいて各パーツを抜き出し、アイコンカスタムパーツ記憶部７、ウィンドウカスタムパーツ記憶部８、タブカスタムパーツ記憶部９に記憶させる。そして、携帯端末１００は、色々な表示を行う場合に、パーツ対応リスト記憶部１２を参照して色々な表示に対応するアイコンカスタムパーツ記憶部７、ウィンドウカスタムパーツ記憶部８、タブカスタムパーツ記憶部９の中のパーツ画像を選択して表示する。
【００３８】
なお、携帯端末１００は、アイコンカスタムパーツ記憶部７、ウィンドウカスタムパーツ記憶部８、タブカスタムパーツ記憶部９などのカスタム部分とは別に、図示しない既存のパーツ記憶部を有する。そして、ユーザは、カスタムまたは既存のパーツ画像のどちらかを選択することができる。
【００３９】
主制御部１３の詳細な動作については以降で説明する。  
図７は、本発明の実施例に係る携帯端末の主制御部のカスタム画面初期設定に関する動作フローチャートである。携帯端末１００の主制御部１３は、ユーザによりカスタム画面初期設定がセットされると、カスタム画面初期設定動作に入る。まず、ユーザにより選択されたアイコンパーツ、ウィンドウパーツ、またはタブパーツをプレビュー表示する（ステップＳ１１）。次に、現在、通信中かどうかをチェックする（ステップＳ１２）。これが通信中であれば、通信を優先して、カスタム画面初期設定は行わずに、終了する（ステップＳ１３）。
【００４０】
ステップＳ１２で通信中でなければ、次に、電池残量チェックを行う（ステップＳ１４）。これが規定値以下であれば、カスタム画面初期設定は行わずに、終了する（ステップＳ１３）。これは、カスタム画面初期設定には、かなりの時間を必要とし、途中で電池残量がなくなってカスタム画面初期設定が中途半端に中断してしまうことを防ぐためである。
【００４１】
ステップＳ１４で電池残量が規定値以上であれば、次に、カスタムファイルの正当性チェックとして、カスタムファイル名が規定の拡張子であるかをチェックする（ステップＳ１５）。正当でなければ、カスタム画面初期設定は行わずに、終了する（ステップＳ１３）。
【００４２】
これが正当であれば、カスタムファイルの付加データとして、デジタル著作権管理用のＭＩＭＥ−ＴＹＰＥ欄に以下のように上書きする。アイコンカスタムファイルでは、「application/x-ｔｓｂｉ-v(k)」、ウィンドウカスタムファイルでは、「application/x-ｔｓｂw-v(k)」、タブリストファイルでは、「application/x-ｔｓｂt-v(k)」と上書きする（ステップＳ１６）。これは、デジタル著作権管理を行う場合に、ステップＳ１５でカスタムファイルであることが判明した時点で、拡張子とＭＩＭＥ−ＴＹＰＥの不整合を避けるためである。
【００４３】
次に、カスタムファイルの他の正当性チェックとして、カスタムファイルのピクセルサイズが規定のものであるか、ヘッダ情報は規定どおりであるかをチェックする（ステップＳ１７）。いずれかが正当でなければ、カスタム画面初期設定は行わずに、終了する（ステップＳ１３）。
【００４４】
これが正当であれば、次に、カスタムファイルの復号処理を行って画像データ形式に戻す（ステップＳ１８）。この時、全てのビットの色を確認し、２５６色リスト記憶部６に記憶されている規定の２５６色以外の色が存在しないかをチェックする（ステップＳ１９）。これは、ユーザは、ＰＣ２００で、フォトショップ（Ｒ）を使って編集する時に、規定の２５６色以外の色を使って編集するおそれがあり、そのため、携帯端末１００ではそのチェックを行う。
【００４５】
ステップＳ１９で規定の２５６色以外の色が存在すれば、正当ではないとしてカスタム画面初期設定は行わずに、終了する（ステップＳ１３）。規定の２５６色以外の色が存在しなければ、正当として、次に、復号処理された各カスタムファイルから座標に基づいて各パーツを切り出す処理を行う（ステップＳ２０）。そして、各パーツを分類して、アイコンカスタムパーツ記憶部７、ウィンドウカスタムパーツ記憶部８、タブカスタムパーツ記憶部９に保存する（ステップＳ２１）。以上でカスタム画面初期設定を終了し、待ち受け画面表示へ移行する（ステップＳ２２）。
【００４６】
なお、ステップＳ１９において、規定の２５６色以外の色が存在した場合には終了したが、例えば、終了せずに、規定の２５６色以外の色を、近似の規定の２５６色のどれかに変換して、ステップＳ２０以降へ進んで、カスタム画面初期設定を完了するようにしてもよい。
【００４７】
図８は、本発明の実施例に係る携帯端末の主制御部の画面表示に関する動作フローチャートである。携帯端末１００の主制御部１３は、パーツ対応リスト記憶部１２を参照して、現在の表示ステータスに対応するアイコンカスタムパーツ記憶部７、ウィンドウカスタムパーツ記憶部８、タブカスタムパーツ記憶部９の中のパーツ画像を選択する（ステップＳ３１）。そして、選択したパーツ画像を組み合わせて全体画像を構成し、表示する（ステップＳ３２）。
【００４８】
本発明の実施例によれば、ユーザは、汎用のＰＣを使って、汎用の画像処理ソフトと携帯端末メーカから提供されるテンプレートなどにより、簡単に携帯端末用のカスタム画面のパーツ画像をオリジナルで簡単に作成することができる。そして、そのカスタムファイルを携帯端末に送信することにより、携帯端末は自動で、カスタムファイルからパーツ画像を抜き出して、オリジナルのパーツ画像集が作成される。そして、携帯端末１００は、自動で、携帯端末１００の色々な動作状態において表示する内容に対応する各パーツ画像を読み出して表示することが可能となる。
【図面の簡単な説明】
【００４９】
【図１】本発明の実施例に係る携帯端末画面のカスタマイズシステムを説明する図。
【図２】本発明の実施例に係るアイコンテンプレートファイルを説明する図。
【図３】本発明の実施例に係るウィンドウテンプレートファイルを説明する図。
【図４】本発明の実施例に係るタブテンプレートファイルを説明する図。
【図５】本発明の実施例に係るＰＣでのユーザ処理のフローチャート。
【図６】本発明の実施例に係る携帯端末の関連部分のブロック図。
【図７】本発明の実施例に係る携帯端末の主制御部のカスタム画面初期設定に関する動作フローチャート。
【図８】本発明の実施例に係る携帯端末の主制御部の画面表示に関する動作フローチャート。
【符号の説明】
【００５０】
１  アンテナ
２  通信制御部
３  ＰＣインターフェース
４  ＳＤインターフェース
５  画像カスタムファイル記憶部
６  ２５６色リスト記憶部
７  アイコンカスタムパーツ記憶部
８  ウィンドウカスタムパーツ記憶部
９  タブカスタムパーツ記憶部
１０  操作部
１１  表示部
１２  パーツ対応リスト記憶部
１３  主制御部
１００  携帯端末
２００  ＰＣ
２０１  汎用画像処理ソフト
２０２  Ｗｅｂ
２０３  ＣＤＲＯＭ
【図１】
0004817963.tif 000002
【図２】
0004817963.tif 000003
【図３】
0004817963.tif 000004
【図４】
0004817963.tif 000005
【図５】
0004817963.tif 000006
【図６】
0004817963.tif 000007
【図７】
0004817963.tif 000008
【図８】
0004817963.tif 000009